(57)【要約】【課題】  本のページを読み取る際の本をセットする様子をわかりやすく表示する。【解決手段】スキャナで本のページを読み取るにあたり、本の見開き２ページ分を１枚の用紙の片面に並べて配置するＢＯＯＫ／２アップモード又は本の見開き２ページ分を１枚の用紙の表裏に配置するＢＯＯＫ／両面モードに設定されているときには、本の見開き２ページ分のうちの１ページ目を読み取る際に表紙を奥にして本をセットする様子がディスプレイ５２に表示され、該１ページ目の読み取り終了後２ページ目を読み取る際に表紙を手前にして本をセットする様子が同様にディスプレイに表示される。したがって、ユーザは読み取りを行うたびに本をどのようにセットすればよいかを考える必要がないので、本のページの読み取りを操作性よく行うことができる。【選択図】図６
2008191562.tif 000002
【特許請求の範囲】
【請求項１】
スキャナで原稿を読み取る画像入力装置であって、
ディスプレイと、
前記スキャナで本のページを読み取った画像を１枚の用紙に配置するレイアウトとして、本の見開き２ページ分を１枚の用紙の片面に並べて配置する２アップモードに設定可能なレイアウト設定手段と、
前記スキャナで本のページを読み取るにあたり、前記レイアウト設定手段によって前記２アップモードに設定されているときには、本の見開き２ページ分のうちの１ページ目を読み取る際に表紙を奥にして本をセットする様子が表示されるよう前記ディスプレイを制御し、該１ページ目の読み取り終了後２ページ目を読み取る際に表紙を手前にして本をセットする様子が表示されるよう前記ディスプレイを制御する制御手段と、
を備えた画像入力装置。
【請求項２】
スキャナで原稿を読み取る画像入力装置であって、
ディスプレイと、
前記スキャナで本のページを読み取った画像を１枚の用紙に配置するレイアウトとして、本の見開き２ページ分を１枚の用紙の表裏に配置する両面モードに設定可能なレイアウト設定手段と、
前記スキャナで本のページを読み取るにあたり、前記レイアウト設定手段によって前記両面モードに設定されているときには、本の見開き２ページ分のうちの１ページ目を読み取る際に表紙を奥にして本をセットする様子が表示されるよう前記ディスプレイを制御し、該１ページ目の読み取り終了後２ページ目を読み取る際に表紙を手前にして本をセットする様子が表示されるよう前記ディスプレイを制御する制御手段と、
を備えた画像入力装置。
【請求項３】
請求項１又は２に記載の画像入力装置であって、
装置本体の上面の奥の一辺に取り付けられ前記スキャナの読み取り面を開閉可能なカバーを備え、
前記スキャナの読み取り面は、奥行き方向の長さが幅方向の長さよりも短い、
画像入力装置。
【請求項４】
請求項１〜３のいずれかに記載の画像入力装置であって、
表紙を奥にして本をセットする様子を表す第１のアイコンと表紙を手前にして本をセットする様子を表す第２のアイコンを記憶するアイコン記憶手段を備え、
前記制御手段は、本の見開き２ページ分のうちの１ページ目を読み取る際に前記第１のアイコンが表示されるよう前記ディスプレイを制御し、該１ページ目の読み取り終了後２ページ目を読み取る際に前記第２のアイコンが表示されるよう前記ディスプレイを制御する手段である、
画像入力装置。
【請求項５】
前記第１のアイコンは、表紙を奥にして本をセットする際の本の奥の角を前記スキャナの読み取り面の所定の位置に合わせる方向を示す矢印が表示され、
前記第２のアイコンは、表紙を手前にして本をセットする際の本の奥の角を前記スキャナの読み取り面の所定の位置に合わせる方向を示す矢印が表示されている、
請求項４に記載の画像入力装置。
【請求項６】
請求項１〜５のいずれかに記載の画像入力装置であって、
音声を出力可能な音声出力手段を備え、
前記制御手段は、本の見開き２ページ分のうちの１ページ目を読み取る際に表紙を奥にして本をセットする様子が表示されるよう前記ディスプレイを制御するときには、併せて表紙を奥にして本をセットする旨の音声メッセージが出力されるよう前記音声出力手段を制御し、該１ページ目の読み取り終了後２ページ目を読み取る際に表紙を手前にして本をセットする様子が表示されるよう前記ディスプレイを制御するときには、併せて表紙を手前にして本をセットする旨の音声メッセージが出力されるよう前記音声出力手段を制御する、
画像入力装置。
【請求項７】
請求項１〜６のいずれかに記載の画像入力装置と、
用紙に印刷を行う印刷手段と、
を備え、
前記制御手段は、前記スキャナで読み取った画像と前記レイアウト設定手段によって設定されたモードに基づいて印刷データを作成し、該印刷データが前記用紙に印刷されるよう前記印刷手段を制御する、
複写装置。
【発明の詳細な説明】
【技術分野】
【０００１】
本発明は、画像入力装置及び複写装置に関する。
【背景技術】
【０００２】
従来、画像入力装置として２枚の原稿をスキャナで読み取り１枚の用紙にコピーする、いわゆる２アップコピーが可能なものが知られている（例えば、特許文献１参照）。
【特許文献１】特開２００４−１２２６４５号公報
【発明の開示】
【発明が解決しようとする課題】
【０００３】
しかしながら、このような画像入力装置には、装置本体の上面の奥の一辺に取り付けられスキャナの読み取り面を開閉可能なカバーを備えるものがあり、本の１ページの大きさが読み取り面と略同じ大きさの場合、１ページ読み取るたびに本の上下をひっくり返してセットする必要がある。そのため、ユーザは本をどのようにセットすればよいかがわかりにくかった。
【０００４】
本発明の画像入力装置は、このような課題に鑑みなされたものであり、スキャナで本のページを読み取る際の本をセットする様子をわかりやすく表示することを目的とする。
【課題を解決するための手段】
【０００５】
本発明は、上述の目的を達成するために以下の手段を採った。
【０００６】
本発明の画像入力装置は、
スキャナで原稿を読み取る画像入力装置であって、
ディスプレイと、
前記スキャナで本のページを読み取った画像を１枚の用紙に配置するレイアウトとして、本の見開き２ページ分を１枚の用紙の片面に並べて配置する２アップモードに設定可能なレイアウト設定手段と、
前記スキャナで本のページを読み取るにあたり、前記レイアウト設定手段によって前記２アップモードに設定されているときには、本の見開き２ページ分のうちの１ページ目を読み取る際に表紙を奥にして本をセットする様子が表示されるよう前記ディスプレイを制御し、該１ページ目の読み取り終了後２ページ目を読み取る際に表紙を手前にして本をセットする様子が表示されるよう前記ディスプレイを制御する制御手段と、
を備えたものである。
【０００７】
この画像入力装置では、本のページを読み取った画像を１枚の用紙に配置するレイアウトとして、本の見開き２ページ分を１枚の用紙の片面に並べて配置する２アップモードに設定可能である。そして、スキャナで本のページを読み取るにあたり、レイアウト設定手段によって２アップモードに設定されているときには、本の見開き２ページ分のうちの１ページ目を読み取る際に表紙を奥にして本をセットする様子がディスプレイに表示され、該１ページ目の読み取り終了後２ページ目を読み取る際に表紙を手前にして本をセットする様子をディスプレイに表示する。したがって、ユーザは読み取りを行うたびに本をどのようにセットすればよいかを考える必要がないので、本のページの読み取りを操作性よく行うことができる。
【０００８】
本発明の画像入力装置は、
スキャナで原稿を読み取る画像入力装置であって、
ディスプレイと、
前記スキャナで本のページを読み取った画像を１枚の用紙に配置するレイアウトとして、本の見開き２ページ分を１枚の用紙の表裏に配置する両面モードに設定可能なレイアウト設定手段と、
前記スキャナで本のページを読み取るにあたり、前記レイアウト設定手段によって前記両面モードに設定されているときには、本の見開き２ページ分のうちの１ページ目を読み取る際に表紙を奥にして本をセットする様子が表示されるよう前記ディスプレイを制御し、該１ページ目の読み取り終了後２ページ目を読み取る際に表紙を手前にして本をセットする様子が表示されるよう前記ディスプレイを制御する制御手段と、
を備えたものである。
【０００９】
この画像入力装置では、本のページを読み取った画像を１枚の用紙に配置するレイアウトとして、本の見開き２ページ分を１枚の用紙の表裏に配置する両面モードに設定可能である。そして、スキャナで本のページを読み取るにあたり、レイアウト設定手段によって両面モードに設定されているときには、本の見開き２ページ分のうちの１ページ目を読み取る際に表紙を奥にして本をセットする様子がディスプレイに表示され、該１ページ目の読み取り終了後２ページ目を読み取る際に表紙を手前にして本をセットする様子をディスプレイに表示する。したがって、ユーザは読み取りを行うたびに本をどのようにセットすればよいかを考える必要がないので、本のページの読み取りを操作性よく行うことができる。
【００１０】
本発明の画像入力装置は、装置本体の上面の奥の一辺に取り付けられ前記スキャナの読み取り面を開閉可能なカバーを備え、前記スキャナの読み取り面は、奥行き方向の長さが幅方向の長さよりも短いものとしてもよい。読み取り面の奥にカバーがあるため、本の見開き２ページをコピーしたいときの１ページの大きさが読み取り面と略同じ大きさの場合には、１ページ目を読み取った後本を奥へずらして２ページ目をセットすることができず本の上下をひっくり返してセットしなければならないが、本をセットする様子がディスプレイに表示され、ユーザが本をどのようにセットすればよいかを考える必要がない。
【００１１】
本発明の画像入力装置は、表紙を奥にして本をセットする様子を表す第１のアイコンと表紙を手前にして本をセットする様子を表す第２のアイコンを記憶するアイコン記憶手段を備え、前記制御手段は、本の見開き２ページ分のうちの１ページ目を読み取る際に前記第１のアイコンが表示されるよう前記ディスプレイを制御し、該１ページ目の読み取り終了後２ページ目を読み取る際に前記第２のアイコンが表示されるよう前記ディスプレイを制御するものとしてもよい。こうすれば、ユーザが本をセットする様子を一目で理解でき、わかりやすい。
【００１２】
この態様を採用した本発明の画像入力装置において、前記第１のアイコンは、表紙を奥にして本をセットする際の本の奥の角を前記スキャナの読み取り面の所定の位置に合わせる方向を示す矢印が表示され、前記第２のアイコンは、表紙を手前にして本をセットする際の本の奥の角を前記スキャナの読み取り面の所定の位置に合わせる方向を示す矢印が表示されているアイコンとしてもよい。こうすれば、ユーザが本の角を合わせる位置を一目で理解でき、わかりやすい。
【００１３】
本発明の画像入力装置において、音声を出力可能な音声出力手段を備え、前記制御手段は、本の見開き２ページ分のうちの１ページ目を読み取る際に表紙を奥にして本をセットする様子が表示されるよう前記ディスプレイを制御するときには、併せて表紙を奥にして本をセットする旨のメッセージが出力されるよう前記音声出力手段を制御し、該１ページ目の読み取り終了後２ページ目を読み取る際に表紙を手前にして本をセットする様子が表示されるよう前記ディスプレイを制御するときには、併せて表紙を手前にして本をセットする旨のメッセージが出力されるよう前記音声出力手段を制御するものとしてもよい。こうすれば、視覚に訴えるだけでなく聴覚にも訴えるので、ユーザが本の読み取りを行う際の操作性が一層よくなる。
【００１４】
本発明の複写装置は、上記いずれかに記載の画像入力装置と、用紙に印刷を行う印刷手段とを備え、前記制御手段は、前記スキャナで読み取った画像と前記レイアウト設定手段によって設定されたモードに基づいて印刷データを作成し、該印刷データが前記用紙に印刷されるよう前記印刷手段を制御するものである。こうすれば、ユーザがその場で所望のレイアウトで印刷された印刷物を得ることができる。
【発明を実施するための最良の形態】
【００１５】
次に、本発明の実施の形態を図面に基づいて説明する。図１は本発明の一実施形態であるマルチファンクションプリンタ１０の斜視図、図２はマルチファンクションプリンタ１０の電気的接続を表すブロック図、図３は操作パネル５０の説明図である。
【００１６】
本実施形態のマルチファンクションプリンタ１０は、図１に示すように、筐体１２の上面奥側にヒンジ１４，１４を介して開閉自在に取り付けられたカバー１６と、筐体１２の上面に嵌め込まれたガラス板２２を介して該ガラス板２２に載置された対象物をスキャニングするスキャナ部２０と、スキャナ部２０の下方に配置され筐体１２の背面から給紙された用紙Ｐにインクジェット方式による印刷を行い筐体１２の前面に設けられた排出口１８から印刷された用紙Ｐを排出するインクジェット印刷部３０と、メモリカード４２などを挿入可能なカードスロット４０と、各種の情報を表示するディスプレイ５２のほか電源ボタンやスタートボタンなどのボタン群５４が設けられた操作パネル５０と、このマルチファンクションプリンタ１０の全体の制御を司るコントローラ６０（図２参照）とを備えている。
【００１７】
スキャナ部２０は、いわゆるフラットベッド型のフルカラースキャナとして構成されている。このスキャナ部２０は、図２に示すように、ガラス板２２に載置された対象物Ｍをこのガラス板２２を介して光学的に読み取るラインイメージセンサ２４と、対象物Ｍを読み取るためラインイメージセンサ２４を走査させる移動機構２６とを備えている。このラインイメージセンサ２４は、対象物Ｍに向かって発光した後の反射光をレッド（Ｒ）、グリーン（Ｇ）、ブルー（Ｂ）の各色に分解してスキャンデータとする周知のカラーイメージセンサである。
【００１８】
インクジェット印刷部３０は、インクジェット方式のフルカラープリンタとして構成されている。このインクジェット印刷部３０は、図２に示すように、キャリッジモータ３２ａにより紙送り方向と直交する方向（図２では紙面に垂直な方向）に沿って往復動するキャリッジ３２と、このキャリッジ３２に搭載されシアン・マゼンタ・イエロー・ライトシアン・ライトマゼンタ及びブラックの各色のインクを個別に収容したインクカートリッジ３４と、各インクカートリッジ３４から供給された各インクに圧力をかける印刷ヘッド３６と、用紙Ｐを搬送する搬送ローラ３８とを備えている。印刷ヘッド３６は、ここでは圧電素子に電圧をかけてこの圧電素子を変形させることによりインクを加圧して図示しないノズルからインク滴を吐出させる方式を採用しているが、発熱抵抗体（例えばヒータなど）によってインクを沸騰させそのとき発生する気泡によりインクを加圧する方式を採用してもよい。
【００１９】
カードスロット４０には、図２に示すように、メモリカード４２が差し込まれている。メモリカード４２には、スキャンした画像データを保存することができる。
【００２０】
操作パネル５０は、図３に示すように、その中央にディスプレイ５２が配置されており、ディスプレイ５２の周囲にはボタン群５４を備えている。ボタン群５４は、電源ボタン５４ａ、コピーモードやメモリカードモードに選択するモード選択ボタン５４ｂ、ディスプレイ５２に表示された複数の選択肢から一つを選択したり次の画面に進んだり前の画面に戻ったりするときに利用される上下左右ボタン５４ｃ及びＯＫボタン５４ｄ、コピーを実行するスタートボタン５４ｅ、設定をキャンセルしたりコピーを途中で止めるストップボタン５４ｆ、などの複数のボタンを有している。
【００２１】
コントローラ６０は、図２に示すように、ＣＰＵ６２を中心とするマイクロプロセッサとして構成されており、各種処理プログラムや各種データ、各種テーブルなどを記憶したＲＯＭ６４と、一時的にスキャンデータや印刷データを記憶したりデータを保存したりするＲＡＭ６６と、操作パネル５０やカードスロット４０に差し込まれたメモリカード４２との通信を可能とするインタフェース６７とを備え、これらはバス６９を介して互いに信号のやり取りが可能なように接続されている。このコントローラ６０は、スキャナ部２０やインクジェット印刷部３０からの各種動作信号や各種検出信号を入力したり、操作パネル５０のボタン群５４の操作に応じて発生する操作信号を入力したりする。また、コントローラ６０は、操作パネル５０のディスプレイ５２に表示制御信号を出力したり、スキャナ部２０やインクジェット印刷部３０、スピーカ８０への各種制御信号を出力したりする。
【００２２】
次に、こうして構成された本実施形態のマルチファンクションプリンタ１０のコピーモードの動作について説明する。図４は、コピーモードに関連してディスプレイ５２に表示される各種設定画面の説明図である。ユーザによるモード選択ボタン５４ｂの操作によりコピーモードが選択されると、コントローラ６０のＣＰＵ６２はコピーの基本設定の選択を受け付けるメニュー画面をディスプレイ５２に表示する（図４（ａ）参照）。メニュー画面では、カラーコピーかモノクロコピー、読み取り原稿の種類やサイズ、コピー用紙の種類やサイズ等を設定することができる。ここでは、原稿のサイズに本の１ページのサイズであるＡ４が設定され、コピー用紙のサイズにＡ４が設定されたものとする。次に、ユーザによる上下左右ボタン５４ｃの操作によりレイアウトが選択されると、ＣＰＵ６２はディスプレイ５２にコピーレイアウト選択画面を表示する（図４（ｂ）参照）。そして、ユーザによる上下左右ボタン５４ｃの操作によりＢＯＯＫ／２アップコピーが選択されると、ＣＰＵ６２はＢＯＯＫ／２アップコピーのイメージを示すレイアウトアイコンをコピーレイアウト選択画面に表示する（図４（ｃ）参照）。ここで、ＢＯＯＫ／２アップコピーとは、本の見開き２ページ分を読み取り１枚の用紙の片面に並べて配置するコピーであり、本実施形態では１ページのサイズがＡ４の本の見開き２ページ分を読み取り、縮小して１枚のＡ４用紙にコピーするものである。
【００２３】
次に、ＢＯＯＫ／２アップコピールーチンについて、図５に基づいて説明する。図５は、ＣＰＵ６２により実行されるＢＯＯＫ／２アップコピールーチンの一例を示すフローチャートである。コピーレイアウト選択画面において、ユーザによるＯＫボタン５４ｄの操作によりＢＯＯＫ／２アップコピーが設定されると、ＣＰＵ６２はＢＯＯＫ／２アップコピーを行うルーチンをＲＯＭ６４から読み出してそのルーチンを実行する。このルーチンが実行されると、まず、ＣＰＵ６２は、ディスプレイ５２にＲＯＭ６４から読み出した１ページ目のセット指示画面を表示し、併せて音声メッセージをスピーカ８０から出力する（ステップＳ１００）。図６は、ディスプレイ５２に表示された１ページ目のセット指示画面の説明図である。１ページ目のセット指示画面では、表紙を奥にしてガラス板２２に本をセットする様子と本の奥の角をガラス板２２の左奥の位置に合わせる方向を示す矢印がアイコンで表示され、「１ページ目の原稿を表紙を奥にセットしスタートボタンを押してください。」とメッセージが表示される。スピーカ８０からは、「１ページ目の原稿を表紙を奥にセットしスタートボタンを押してください。」と音声メッセージが出力される。図６では、ａｂｃと表示のある側が本の表紙であり、右閉じ又は左閉じいずれの本にも対応できるようａｂｃの表示は上下２カ所にある。つまり、本の表紙を奥にしてセットすれば、本の上下はどちらでもよい。そして、ＣＰＵ６２は、スタートボタン５４ｅが押されたか否かを判定する（ステップＳ１１０）。スタートボタン５４ｅが押されたときは、スキャナ部２０を制御してスキャンを実行する（ステップＳ１２０）。スキャナ部２０による１ページ目の読み取りが完了したあと、ＣＰＵ６２は、１ページ目の画像データをＡ４用紙の左半分に配置するレイアウトデータを作成し、ＲＡＭ６６に記憶する（ステップＳ１３０）。
【００２４】
そして、ＣＰＵ６２は、ディスプレイ５２にＲＯＭ６４から読み出した２ページ目のセット指示画面を表示し、併せて音声メッセージをスピーカ８０から出力する（ステップＳ１４０）。図７は、ディスプレイ５２に２ページ目のセット指示画面が表示された説明図である。２ページ目のセット指示画面では、表紙を手前にしてガラス板２２に本をセットする様子と本の奥の角をガラス板２２の左奥の位置に合わせる方向を示す矢印がアイコンで表示され、「２ページ目の原稿を表紙を手前にセットしスタートボタンを押してください。」とメッセージが表示される。スピーカ８０からは、「２ページ目の原稿を表紙を手前にセットしスタートボタンを押してください。」と音声メッセージが出力される。１ページ目のセット指示画面と同様に、ａｂｃと表示のある側が本の表紙なので、本の表紙を手前にしてセットすれば、本の上下はどちらでもよい。そして、ＣＰＵ６２は、スタートボタン５４ｅが押されたか否かを判定する（ステップＳ１５０）。スタートボタン５４ｅが押されたときは、スキャナ部２０を制御してスキャンを実行する（ステップＳ１６０）。スキャナ部２０による原稿の読み取りが完了したあと、ＣＰＵ６２は、２ページ目の画像データを１ページ目の画像データの向きに合うように反転してから、１ページ目の画像データが左半分に配置されたＡ４用紙の右半分に配置するレイアウトデータを作成し、ＲＡＭ６６に記憶する（ステップＳ１７０）。そして、ＣＰＵ６２は、インクジェット印刷部３０を制御して印刷を実行し（ステップＳ１８０）、このＢＯＯＫ／２アップコピールーチンを終了する。この結果、１ページのサイズがＡ４の本の見開き２ページ分を縮小して１枚のＡ４用紙の片面に並べて配置した印刷物が得られる。
【００２５】
次に、本の見開き２ページ分を１枚の用紙の表裏に配置する両面モードのコピーについて図９に基づいて説明する。図８は、ディスプレイ５２のコピーレイアウト選択画面でＢＯＯＫ／両面コピーを選択した説明図である。図９は、ＣＰＵ６２により実行されるＢＯＯＫ／両面コピールーチンの一例を示すフローチャートである。ユーザによるＯＫボタン５４ｄの操作により、ＢＯＯＫ／両面コピーが設定されると、ＣＰＵ６２はＢＯＯＫ／両面コピーを行うルーチンをＲＯＭ６４から読み出してそのルーチンを実行する。ＢＯＯＫ／両面コピールーチンでは、ＣＰＵ６２は１ページ目の画像データをＡ４用紙の表面に配置するレイアウトデータを作成し（ステップＳ２３０）、２ページ目の画像データを１ページ目の画像データの向きに合うように反転してから、１ページ目の画像データが表面に配置されたＡ４用紙の裏面に配置するレイアウトデータを作成する（ステップＳ２７０）。上記以外のステップＳ２００〜Ｓ２２０、Ｓ２４０〜Ｓ２６０、Ｓ２８０は、各々ＢＯＯＫ／２アップコピールーチンのステップＳ１００〜Ｓ１２０、Ｓ１４０〜Ｓ１６０、Ｓ１８０と同じであるため、説明は省略する。この結果、１ページのサイズがＡ４の本の見開き２ページ分を１枚のＡ４用紙の表裏に配置した印刷物が得られる。
【００２６】
ここで、本実施形態の構成要素と本発明の構成要素との対応関係を明らかにする。本実施形態のマルチファンクションプリンタ１０が本発明の画像入力装置及び複写装置に相当し、上下左右ボタン５４ｃ及びＯＫボタン５４ｄがレイアウト設定手段に相当し、ＣＰＵ６２が制御手段に相当し、ＲＡＭ６４がアイコン記憶手段に相当し、スピーカ８０が音声出力手段に相当する。
【００２７】
以上詳述した本実施形態のマルチファンクションプリンタ１０によれば、本のページを読み取った画像を１枚の用紙に配置するレイアウトとして、本の見開き２ページ分を１枚の用紙の片面に並べて配置するＢＯＯＫ／２アップモード又は本の見開き２ページ分を１枚の用紙の表裏に配置するＢＯＯＫ／両面モードに設定可能である。そして、スキャナ２０で本のページを読み取るにあたり、前記ＢＯＯＫ／２アップモード又は前記ＢＯＯＫ／両面モードに設定されているときには、本の見開き２ページ分のうちの１ページ目を読み取る際に表紙を奥にして本をセットする様子がディスプレイ５２に表示され、該１ページ目の読み取り終了後２ページ目を読み取る際に表紙を手前にして本をセットする様子がディスプレイ５２に表示される。したがって、ユーザは読み取りを行うたびに本をどのようにセットすればよいかを考える必要がないので、本のページの読み取りを操作性よく行うことができる。
【００２８】
また、筐体１２の上面の奥の一辺に取り付けられスキャナ２０のガラス板２２を開閉可能なカバー１６を備え、スキャナ２０のガラス板２２の奥行き方向の長さが幅方向の長さよりも短い場合、本の見開き２ページ分をコピーしたいときの１ページの大きさがガラス板２２と略同じ大きさの際には、１ページ目を読み取った後本を奥へずらして２ページ目をセットすることができない。このため本の上下をひっくり返してセットしなければならないが、本をセットする様子が前記ディスプレイ５２に表示されるので、ユーザが本をどのようにセットすればよいかを考える必要がない。
【００２９】
更に、ガラス板２２に本をセットする様子と本の奥の角をガラス板２２の左奥の位置に合わせる方向を示す矢印がアイコンで表示されるので、ユーザが本をセットする様子と本の角を合わせる位置を一目で理解でき、わかりやすい。
【００３０】
更にまた、前記アイコンと共に音声メッセージも出力されるので、視覚に訴えるだけでなく聴覚にも訴えることができ、ユーザが本の読み取りを行う際の操作性が一層よくなる。
【００３１】
なお、本発明は上述した実施形態に何ら限定されることはなく、本発明の技術的範囲に属する限り種々の態様で実施し得ることはいうまでもない。
【００３２】
例えば、上述した実施形態では、ＢＯＯＫ／両面コピーのレイアウトとして本の見開き２ページ分を１枚の用紙の表裏に配置するものとしたが、本のページの表裏をそのまま１枚の用紙の表裏に配置するものとしてもよい。図１０は、ディスプレイ５２のコピーレイアウト選択画面でＢＯＯＫ／両面コピーとして本のページの表裏をそのまま１枚の用紙の表裏に配置するレイアウトアイコンが表示された説明図である。そして、ユーザによるＯＫボタン５４ｄの操作により、ＢＯＯＫ／両面コピーが設定されると、ＣＰＵ６２はＢＯＯＫ／両面コピーを行うルーチンをＲＯＭ６４から読み出してそのルーチンを実行する。この場合も、前述のＢＯＯＫ／両面コピールーチン（図９参照）が行われる。図１１は、ディスプレイ５２にセット指示画面が表示された説明図である。ここで、本の見開き２ページ分をコピーするときの１ページ目は、左閉じの本では開いた左側のページ、右閉じの本では開いた右側のページであるが、本のページの表裏をコピーするときの１ページ目は、左閉じの本では開いた右側のページ、右閉じの本では開いた左側のページとなる。そのため、１ページ目のセット指示画面では表紙を手前にしてガラス板２２に本をセットする様子が表示され（図１１（ａ）参照）、２ページ目のセット指示画面では表紙を奥にしてガラス板２２に本をセットする様子が表示される（図１１（ｂ）参照）。
【００３３】
上述した実施形態では、本をセットする様子を表すアイコンが表示されたが、動画が表示されるものとしてもよい。図１２は、ディスプレイ５２に動画のセット指示画面が表示された説明図であり、図１２（ａ）がセット中、図１２（ｂ）がセット完了時の説明図である。ここで、図１２（ａ）から図１２（ｂ）への切り替えは、段階的に切り替えるものとしてもよいし、直ちに切り替えるものとしてもよい。
【００３４】
上述した実施形態では、音声メッセージを出力するものとしたが、音声メッセージを出力せずセット指示画面を表示するのみとしてもよい。
【００３５】
上述した実施形態では、アイコンの本の表紙に「ａｂｃ」と表示したが、文字で「表紙」と表示してもよい。
【００３６】
上述した実施形態では、コピーモードについて説明したが、コピーせずにＲＡＭ６４やカードスロット４０に差し込まれるメモリカード４２に記録させておいてもよい。また、記録媒体はＣＤ、ＤＶＤ、ＭＯなどであってもよい。
【００３７】
上述した実施形態では、画像入力装置としてマルチファンクションプリンタ１０を例示したが、画像入力装置としてはマルチファンクションプリンタ１０に限らず、スキャナ部２０のみを備えるスキャナとしてもよい。また、印刷方式もインクジェット方式に限らず、電子写真方式（レーザプリンタなど）であってもよいし熱転写式であってもよい。
【図面の簡単な説明】
【００３８】
【図１】マルチファンクションプリンタ１０の斜視図。
【図２】マルチファンクションプリンタ１０の電気的接続を表すブロック図。
【図３】操作パネル５０の説明図。
【図４】ディスプレイ５２に表示されたコピーモードの各種設定画面の説明図。
【図５】ＢＯＯＫ／２アップコピールーチンのフローチャート。
【図６】ディスプレイ５２に表示された１ページ目のセット指示画面の説明図。
【図７】ディスプレイ５２に表示された２ページ目のセット指示画面の説明図。
【図８】ディスプレイ５２に表示されたコピーレイアウト選択画面の説明図。
【図９】ＢＯＯＫ／両面コピールーチンのフローチャート。
【図１０】ディスプレイ５２に表示されたコピーレイアウト選択画面の説明図。
【図１１】ディスプレイ５２に表示されたセット指示画面の説明図。
【図１２】ディスプレイ５２に表示された動画のセット指示画面の説明図。
【符号の説明】
【００３９】
１０  マルチファンクションプリンタ、１２  筐体、１４  ヒンジ、１６  カバー、１８  排出口、２０  スキャナ部、２２  ガラス板、２４  ラインイメージセンサ、２６  移動機構、３０  インクジェット印刷部、３２  キャリッジ、３２ａ  キャリッジモータ、３４  インクカートリッジ、３６  印刷ヘッド、３８  搬送ローラ、４０  カードスロット、４２  メモリカード、５０  操作パネル、５２  ディスプレイ、５４  ボタン群、５４ａ  電源ボタン、５４ｂ  モード選択ボタン、５４ｃ  上下左右ボタン、５４ｄ  ＯＫボタン、５４ｅ  スタートボタン、５４ｆ  ストップボタン、６０  コントローラ、６２  ＣＰＵ、６４  ＲＯＭ、６６  ＲＡＭ、６７  インタフェース、６９  バス、８０  スピーカ。
【図１】
2008191562.tif 000003
【図２】
2008191562.tif 000004
【図３】
2008191562.tif 000005
【図４】
2008191562.tif 000006
【図５】
2008191562.tif 000007
【図６】
2008191562.tif 000008
【図７】
2008191562.tif 000009
【図８】
2008191562.tif 000010
【図９】
2008191562.tif 000011
【図１０】
2008191562.tif 000012
【図１１】
2008191562.tif 000013
【図１２】
2008191562.tif 000014